(57)【特許請求の範囲】
【請求項１】
物体を上下昇降する複数の昇降軌道が水平方向の左右に並列して設定された内部空間を有する中空構造体内において、付着物を処理する際に前記中空構造体に取り付けられる設備であって、
前記内部空間を、互いに隣り合う前記昇降軌道同士の間で水平方向の左右に仕切って、前記処理のための作業空間を密閉区画する仕切り部材を備えており、
前記仕切り部材は、鉛直方向の上下及び水平方向の前後に延出する気密性部材と、前記気密性部材に面接触して当該気密性部材を補強する補強部材と、水平方向の左右における前記補強部材の一方の面に接触することにより当該補強部材及び前記気密性部材の形状を平面形状に保持する保持部材とを備え、
前記気密性部材の外周縁は、前記内部空間の天井部、床部、前後の側壁にそれぞれ密着固定されており、
前記保持部材は、一端部及び他端部が前記中空構造体に固定された複数の部材を有し、
前記複数の部材として、鉛直方向の上下に延びる複数の縦材と水平方向の前後に延びる複数の横材とが設けられ、
前記保持部材は、前記縦材と前記横材とが互いに直交して係合した井桁状部材であり、
前記井桁状部材の井桁面が前記補強部材に面接触状態で接合されて当該補強部材の平面形状を維持することを特徴とする付着物処理設備。
【請求項２】
請求項１に記載の付着物処理設備であって、
前記処理の作業者が搭乗し、前記作業空間を上下昇降する作業ゴンドラを備えていることを特徴とする付着物処理設備。
【請求項３】
請求項２に記載の付着物処理設備であって、
前記作業ゴンドラには、前記内部空間の天井部から吊下されたワイヤーを巻き上げる巻き上げ機が搭載固定され、前記ワイヤーの巻き上げ量の調整により、前記作業ゴンドラは上下昇降することを特徴とする付着物処理設備。
【請求項４】
請求項１乃至３のいずれかに記載の付着物処理設備であって、
前記作業空間から吸気口を介して吸い込んだ空気をフィルターに通すことにより前記空気中の異物を捕集するとともに、前記フィルターを通過後の空気を前記作業空間の外側へ排気することにより、前記作業空間の気圧を、前記作業空間の外側の気圧よりも低くする集塵機を備えていることを特徴とする付着物処理設備。
【請求項５】
請求項４に記載の付着物処理設備であって、
前記付着物の処理は、前記付着物に向けてドライアイス粒を噴射して衝突させることにより前記付着物を剥がす処理であり、
前記集塵機の吸気口は、前記作業空間内における下部に配置されていることを特徴とする付着物処理設備。
【請求項６】
請求項１乃至５のいずれかに記載の付着物処理設備を用いて、前記中空構造体の内部の付着物を処理することを特徴とする付着物処理方法。
【請求項７】
請求項６に記載の付着物処理方法であって、
前記作業空間での前記処理が終了したら、前記作業空間を、順次、前記複数の昇降軌道のうちの未処理の昇降軌道へ移動することを特徴とする付着物処理方法。
【請求項８】
請求項１乃至５のいずれかに記載の付着物処理設備であって、
前記縦材は、ワイヤーであり、その上下の両端部は、それぞれ、前記天井部及び前記床部に係止固定され、
前記ワイヤーには、前記横材を着脱可能に係止する係止部材が鉛直方向に所定ピッチで設けられており、
前記係止部材に前記横材が係止されて、前記保持部材が井桁状に構成されることを特徴とする付着物処理設備。
【発明の詳細な説明】
【技術分野】
【０００１】
本発明は、エレベーターシャフト等からアスベスト等の付着物を除去等する際に用いられる付着物処理設備、及び付着物処理方法に関する。
【背景技術】
【０００２】
建物に装備されるエレベーターは、通常、エレベーターシャフトと呼ばれる鉛直方向に長い内部空間（昇降路）を備え、このエレベーターシャフト内を乗りかごが上下昇降するように構成されている。そして、高層ビル等では、一般に２連や３連という多連式のエレベーターが採用されており、つまり、エレベーターシャフト内には、複数台の乗りかごが左右に並列配置されていて、各乗りかごは互いに独立に昇降動作を行えるようになっている。
【０００３】
このようなエレベーターシャフト内には、その昔に、鉄骨架構の耐火被覆目的で施工されたアスベストがそのまま鉄骨に付着状態で残存していることがあり、このようなアスベストは、飛散前に一刻も早く除去等の無害化処理を施す必要がある。
【０００４】
ここで、エレベーターシャフト内の付着物を取る方法として、例えば、特許文献１が開示されている。但し、この付着物は綿ゴミであってアスベストにあらず、つまり、現時点においては、エレベーターシャフト内でアスベスト等の有害付着物を処理する具体的方法について公開されていない。
【先行技術文献】
【特許文献】
【０００５】
【特許文献１】特開２００７−１４５４４８号
【発明の概要】
【発明が解決しようとする課題】
【０００６】
ところで、一般に、建屋内のアスベストを処理する際には、養生シート等により隔離密閉された作業空間を形成し、その中で処理作業を行うことが義務付けられている。
【０００７】
そして、このことは、エレベーターシャフト内のアスベストを処理する場合も例外ではなく、例えば、エレベーターシャフトの場合には、エレベーターシャフト全体を隔離密閉養生する必要がある。
【０００８】
しかしながら、上述のような多連式のエレベーターの場合にエレベーターシャフト全体を隔離密閉すると、全てのエレベーターを使えなくなってしまい著しく不便となるので、少なくとも１台のエレベーターは稼働状態にできるのが望ましい。
【０００９】
本発明はかかる従来の課題に鑑みて成されたもので、少なくとも１台のエレベーター等の稼働を確保しながらも、エレベーターシャフト等に付着するアスベスト等の付着物の処理を実行可能な付着物処理設備、及び付着物処理方法を提供することを目的とする。
【課題を解決するための手段】
【００１０】
かかる目的を達成するために請求項１に示す付着物処理設備は、
物体を上下昇降する複数の昇降軌道が水平方向の左右に並列して設定された内部空間を有する中空構造体内において、付着物を処理する際に前記中空構造体に取り付けられる設備であって、
前記内部空間を、互いに隣り合う前記昇降軌道同士の間で水平方向の左右に仕切って、前記処理のための作業空間を密閉区画する仕切り部材を備えており、
前記仕切り部材は、鉛直方向の上下及び水平方向の前後に延出する気密性部材と、前記気密性部材に面接触して当該気密性部材を補強する補強部材と、水平方向の左右における前記補強部材の一方の面に接触することにより当該補強部材及び前記気密性部材の形状を平面形状に保持する保持部材とを備え、
前記気密性部材の外周縁は、前記内部空間の天井部、床部、前後の側壁にそれぞれ密着固定されており、
前記保持部材は、一端部及び他端部が前記中空構造体に固定された複数の部材を有し、
前記複数の部材として、鉛直方向の上下に延びる複数の縦材と水平方向の前後に延びる複数の横材とが設けられ、
前記保持部材は、前記縦材と前記横材とが互いに直交して係合した井桁状部材であり、
前記井桁状部材の井桁面が前記補強部材に面接触状態で接合されて当該補強部材の平面形状を維持することを特徴とする。
【００１１】
前記処理の作業者が搭乗し、前記作業空間を上下昇降する作業ゴンドラを備えていることとしてもよい。
【００１２】
前記作業ゴンドラには、前記内部空間の天井部から吊下されたワイヤーを巻き上げる巻き上げ機が搭載固定され、前記ワイヤーの巻き上げ量の調整により、前記作業ゴンドラは上下昇降することとしてもよい。
【００１３】
前記作業空間から吸気口を介して吸い込んだ空気をフィルターに通すことにより前記空気中の異物を捕集するとともに、前記フィルターを通過後の空気を前記作業空間の外側へ排気することにより、前記作業空間の気圧を、前記作業空間の外側の気圧よりも低くする集塵機を備えていることとしてもよい。
【００１４】
前記付着物の処理は、前記付着物に向けてドライアイス粒を噴射して衝突させることにより前記付着物を剥がす処理であり、
前記集塵機の吸気口は、前記作業空間内における下部に配置されていることとしてもよい。
【００１５】
上記のいずれかに記載の付着物処理設備を用いて、前記中空構造体の内部の付着物を処理することを特徴とする付着物処理方法。
【００１６】
前記作業空間での前記処理が終了したら、前記作業空間を、順次、前記複数の昇降軌道のうちの未処理の昇降軌道へ移動することとしてもよい。
【００１７】
前記縦材は、ワイヤーであり、その上下の両端部は、それぞれ、前記天井部及び前記床部に係止固定され、前記ワイヤーには、前記横材を着脱可能に係止する係止部材が鉛直方向に所定ピッチで設けられており、前記係止部材に前記横材が係止されて、前記保持部材が井桁状に構成されることとしてもよい。
【発明の効果】
【００１８】
本発明に係る付着物処理設備、及び付着物処理方法によれば、少なくとも１台のエレベーター等の稼働を確保しながらも、エレベーターシャフト等に付着するアスベスト等の付着物の処理を実行可能となる。
【図面の簡単な説明】
【００１９】
【図１Ａ】本実施形態の付着物処理設備及び同方法の適用対象である３連式エレベーターＥＶの側断面図である。
【図１Ｂ】同エレベーターＥＶの平断面図（図１Ａ中のＢ−Ｂ断面図）である。
【図２Ａ】本実施形態に係る付着物処理設備の説明用の斜視図である。
【図２Ｂ】同側断面図である。
【図２Ｃ】同平断面図（図２Ｂ中のＣ−Ｃ断面図）である。
【図３】仕切り部材８１の一部を破断して示す斜視図である。
【図４】保持部材９１に係る縦材８３及び横材８４を詳細に説明するための図であり、図４Ａに斜視図を示し、図４Ｂには図４Ａ中のＢ−Ｂ矢視図を示し、また、図４Ｃには同Ｃ−Ｃ矢視図を示している。
【発明を実施するための形態】
【００２０】
本明細書及び図面には、少なくとも次の事項が記載されている。
【００２１】
第１に示す付着物処理設備は、
物体を上下昇降する複数の昇降軌道が水平方向の左右に並列して設定された内部空間を有する中空構造体内において、付着物を処理する際に前記中空構造体に取り付けられる設備であって、
前記内部空間を、互いに隣り合う前記昇降軌道同士の間で水平方向の左右に仕切って、前記処理のための作業空間を密閉区画する仕切り部材を備えていることを特徴とする。  
上記第１に示す発明によれば、前記仕切り部材により、前記内部空間は、互いに隣り合う昇降軌道同士の間で左右に仕切られ、その結果、前記作業空間は密閉区画される。よって、前記作業空間の外の昇降軌道を稼働可能となり、もって、少なくとも１台の昇降軌道の稼働を確保しながらも、前記中空構造体内に付着する付着物の処理を実行可能となる。
第２に示す発明は、第１に記載の付着物処理設備であって、
前記仕切り部材は、
鉛直方向の上下及び水平方向の前後に延出する気密性シートと、
前記気密性シートに面接触して補強する補強シートと、
前記気密性シート及び前記補強シートの形状を平面形状に保持する保持部材と、を備え、
前記気密性シートの外周縁は、前記内部空間の天井部、床部、前後の側壁にそれぞれ密着固定されていることを特徴とする。  
上記第２に示す発明によれば、前記仕切り部材の気密性シートによって前記作業空間は密閉区画されることになるが、この気密性シートは、前記補強シートにより補剛され、更に、前記保持部材により、前記気密性シート及び前記補強シートは平面形状に保持される。よって、作業空間以外の昇降軌道が稼働していても、前記昇降軌道の作動風等によって前記仕切り部材が煽られて破断したり平面形状を崩してしまうことを確実に防ぐことができて、もって、前記作業空間を確実に密閉区画することができる。
【００２２】
第３に示す発明は、第２に記載の付着物処理設備であって、
前記保持部材は、鉛直方向の上下に延びる複数の縦材と水平方向の前後に延びる複数の横材とが互いに交差して係合した井桁状部材であり、
前記縦材の上端部及び下端部は、それぞれ、前記内部空間の天井部及び床部に固定される一方、前記横材の両端部は、それぞれ、前記内部空間の前後の側壁に固定されていることを特徴とする。  
上記第３に示す発明によれば、前記保持部材は、井桁状（平面視「井」の字型）部材であるので、その井桁面が前記補強シート及び前記気密性シートに面接触してその平面形状を維持することになる。よって、これら補強シート及び気密性シートの平面形状を確実に維持することができる。また、前記保持部材を構成する前記縦材及び前記横材は、それぞれ、前記内部空間の天井部、床部、及び前記内部空間の側壁に固定されて、つまり、四方の全てを固定されているので、前記仕切り部材を確実に前記内部空間内に保持して、その脱落を防ぐことができる。
【００２３】
第４に示す発明は、第３に記載の付着物処理設備であって、
前記縦材は、前記天井部から垂下されつつ張った状態で下端部が前記床部に固定されたワイヤーであり、
前記横材は、前記前後の側壁に突っ張って両端部が当接固定される棒体であり、
前記縦材には、前記横材を着脱可能に係止するフック状の係止部材が鉛直方向に所定ピッチで設けられていることを特徴とする。  
上記第４に示す発明によれば、前記内部空間の天井部から床部へと前記ワイヤーを垂下して両端部を固定するとともに、前記ワイヤーの係止部材に前記横材を係止して、前記横材の両端部を前記側壁に固定すれば、前記保持部材は完成され、もって、当該保持部材を容易に組み立てることができる。  
また、前記ワイヤーには張力が作用しているので、作業空間の隣の昇降軌道の作動風等に有効に抵抗し、もって、前記仕切り部材が煽られることを確実に防ぐことができる。
【００２４】
第５に示す発明は、第１乃至４のいずれか記載の付着物処理設備であって、
前記処理の作業者が搭乗し、前記作業空間を上下昇降する作業ゴンドラを備えていることを特徴とする。  
上記第５に示す発明によれば、作業者は、作業ゴンドラに乗って上下に移動することにより前記付着物の処理対象部位の近傍まで接近することができる。よって、作業足場を組まずに済み、もって、処理コストや処理期間の削減を図ることができる。  
また、前記仕切り部材を前記中空構造体に取り付ける作業も、上記の作業ゴンドラに乗って行うことができるので、作業足場を組まずに済み便利である。
【００２５】
第６に示す発明は、第５に記載の付着物処理設備であって、
前記作業ゴンドラには、前記内部空間の天井部から吊下されたワイヤーを巻き上げる巻き上げ機が搭載固定され、前記ワイヤーの巻き上げ量の調整により、前記作業ゴンドラは上下昇降することを特徴とする。  
上記第６に示す発明によれば、作業ゴンドラはワイヤーを巻き上げる巻き上げ機を搭載していれば良いので、装置構成の簡略化を図れる。
【００２６】
第７に示す発明は、第１乃至６のいずれかに記載の付着物処理設備であって、
前記作業空間から吸気口を介して吸い込んだ空気をフィルターに通すことにより前記空気中の異物を捕集するとともに、前記フィルターを通過後の空気を前記作業空間の外側へ排気することにより、前記作業空間の気圧を、前記作業空間の外側の気圧よりも低くする集塵機を備えていることを特徴とする。  
上記第７に示す発明によれば、前記集塵機によって、作業空間内の付着物等の異物は捕集されるとともに、作業空間内の気圧は、その外側の気圧よりも低くされる。よって、前記仕切り部材等の取り合いにおいて意図せず隙間が形成されてしまうような場合であっても、その隙間から外部空間への異物の漏出は有効に抑制されて、作業空間は高度な密閉隔離状態に維持される。
【００２７】
第８に示す発明は、第７に記載の付着物処理設備であって、
前記付着物の処理は、前記付着物に向けてドライアイス粒を噴射して衝突させることにより前記付着物を剥がす処理であり、
前記集塵機の吸気口は、前記作業空間内における下部に配置されていることを特徴とする。  
上記第８に示す発明によれば、ドライアイス粒の昇華により生じる二酸化炭素ガスは、作業空間の下方に溜まるが、作業空間の下部には前記集塵機の吸気口が配置されている。よって、発生した二酸化炭素ガスは速やかに作業空間から排気されるため、当該作業空間において作業者は安全に前記処理作業を行うことができる。
【００２８】
第９に示す発明は、第１乃至８のいずれかに記載の付着物処理設備を用いて、前記中空構造体の内部の付着物を処理することを特徴とする付着物処理方法である。  
上記第９に示す発明によれば、上述の第１乃至８と同様の作用効果を奏することができる。
【００２９】
第１０に示す発明は、第９に記載の付着物処理方法であって、
前記作業空間での前記処理が終了したら、前記作業空間を、順次、前記複数の昇降軌道のうちの未処理の昇降軌道へ移動することを特徴とする。  
上記第１０に示す発明によれば、同時に前記作業空間を複数形成せずに済み一つだけ形成すれは良いので、仕切り部材としては多くとも２つだけ有していれば事足りる。よって、仕切り部材の準備数を減らすことができて、処理コストを低減可能となる。
【００３０】
第１１に示す発明は、第１０に記載の付着物処理方法であって、
前記作業空間は、前記内部空間内を左から右へと一方向に、又は、右から左へと一方向に順次移動していくことを特徴とする。  
上記第１１に示す発明によれば、前回区画されていた作業空間の仕切り部材の少なくとも一方を、今回区画される作業空間の仕切り部材として流用できるので、その取り付け取り外し作業を省略できて、作業効率が向上する。なお、この作業効率の向上効果は、特に、前回区画されていた作業空間の次の作業空間の候補として２つ以上の空間が存在していて選択しなければならない場合、つまり前記内部空間に昇降軌道が３つ以上存在する場合に有効に発揮される。
【００３１】
図１Ａ及び図１Ｂは、本実施形態の付着物処理設備の適用対象であるエレベーターＥＶの側断面図及び平断面図（図１Ａ中のＢ−Ｂ断面図）である。すなわち、この付着物処理設備は、中空構造体の内部空間の一例としてのエレベーターシャフトＥＶＳ内において、以前に鉄骨等に耐火被覆として吹き付けられたアスベストに対し除去等の無害化処理をする際に用いられるものである。なお、以下の説明では、図に示すように、互いに直交する三方向をそれぞれ、上下方向（鉛直方向）、左右方向（水平方向）、及び、前後方向（水平方向）と言う。
【００３２】
＝＝＝エレベーターＥＶについて＝＝＝
エレベーターＥＶは、ビル等の建物ＢＬＤＧの一部に区画されたエレベーターシャフトＥＶＳと、このエレベーターシャフトＥＶＳ内を所定の昇降軌道ＴＲに沿って上下昇降可能に案内された乗りかご１３と、エレベーターシャフトＥＶＳの上方の機械室ＭＲ内に配置されて、つり合い重りＷを備えた吊りロープＲを用いて前記乗りかご１３を吊り下げつつ上下昇降する巻き上げ機１９と、を備えている。そして、このエレベーターＥＶは所謂３連式のエレベーターＥＶであり、つまり、図１Ｂに示すようにエレベーターシャフトＥＶＳ内には、３つの乗りかご１３，１３，１３が左右に並列して設けられており、各乗りかご１３は、それぞれに対応して機械室ＭＲに設置された各巻き上げ機１９によって、各昇降軌道ＴＲに沿って独立に昇降動作をする。なお、以下では、乗りかご１３の各昇降軌道ＴＲのことを、単にエレベーターＥＶとも言う。
【００３３】
エレベーターシャフトＥＶＳは、鉛直方向に長い直方体形状の空間である。詳しくは、鉄骨梁２１ａと鉄骨柱２１ｂとが鉛直方向に長い略直方体形状に組まれてエレベーターシャフトＥＶＳの柱梁架構２１が構築され、また、上下に隣り合う鉄骨梁２１ａ，２１ａ同士の間にはＡＬＣ（気泡コンクリート）版等のコンクリートパネル２３が配置され、これにより、エレベーターシャフトＥＶＳの側壁２３が前後左右の四方を囲って形成されている。また、これら四方の側壁２３の上端及び下端には、それぞれ、天井部２６ａ及び床部２６ｂが形成されており、これにより、エレベーターシャフトＥＶＳ内は、概ね上下前後左右の六方の全てが閉じた略閉空間になっている。
【００３４】
なお、四方の側壁２３のうちの前方の側壁２３には、各乗りかご１３及び建物ＢＬＤＧの各階フロアーに対応させてエレベーターＥＶの乗り場出入口２３ａが開口形成されているとともに、各乗り場出入口２３ａには、左右にスライドする開閉扉２５が設けられている。よって、乗りかご１３の無い状態において前記開閉扉２５が開くと、エレベーターシャフトＥＶＳ内は、建物ＢＬＤＧ側の空間であるエレベーターホールＥＶＨと連通状態になる。
【００３５】
ところで、上述からわかるように、一般にエレベーターシャフトＥＶＳ内には、柱梁架構２１の鉄骨梁２１ａが部分的に露出している。また、エレベーターＥＶによっては鉄骨柱２１ｂも露出し、更には側壁２３よりも内側において前記柱梁架構２１に鋼製のブレース（不図示）が掛け渡し補強されている場合もある。そして、このような鉄骨露出部位に対しては建築基準法上耐火被覆が必須であり、以前はその素材としてアスベストが使用されていた。そのため、現在も既存のエレベーターシャフトＥＶＳ内にはアスベストが露出していることがある。
【００３６】
このようなアスベストに対しては、例えば、既存エレベーターＥＶの設備更新工事等に併せて、無害化処理が行われる。この無害化処理としては、アスベストを剥がす等の物理的に取り除く除去処理や、薬液塗布等により塗布部位の表面を固めてその場にアスベストを封じ込める封じ込め処理、更には、板材等でアスベストの付着部位を囲って外に露出しないようにする囲い込み処理等が挙げられる。
【００３７】
そして、何れの処理を行うにせよ、その処理作業時には、周囲にアスベストが飛散しないように、その作業空間ＷＳを隔離密閉養生することが義務付けられている。
【００３８】
しかし、３連式等の多連式エレベーターＥＶの場合にエレベーターシャフトＥＶＳ全体を隔離密閉養生すると、全てのエレベーターＥＶを使えなくなり著しく不便となるので、少なくとも１台のエレベーターＥＶは稼働状態にできるのが望ましい。
【００３９】
そこで、以下で説明する本実施形態の付着物処理設備及び付着物処理方法では、仕切り部材８１によってエレベーターシャフトＥＶＳ内を水平方向の左右に仕切って、前記作業空間ＷＳを乗りかご１３単位、つまり昇降軌道ＴＲ単位（エレベーターＥＶ単位）で密閉区画するようにしており、これにより、前記作業空間ＷＳ外の乗りかご１３（昇降軌道ＴＲ、エレベーターＥＶ）の稼働を確保している（例えば図２Ａを参照）。
【００４０】
＝＝＝本実施形態に係る付着物処理設備及び付着物処理方法＝＝＝
＜＜＜付着物処理設備＞＞＞
図２Ａは、本実施形態に係る付着物処理設備の説明用の斜視図であり、図２Ｂは同側断面図であり、図２Ｃは同平断面図（図２Ｂ中のＣ−Ｃ断面図）である。なお、図２Ａでは、エレベーターシャフトＥＶＳ及び機械室ＭＲの輪郭線のみをそれぞれ二点鎖線及び三点鎖線で示し側壁２３は透視して示している。
【００４１】
この例では、当該アスベスト処理作業が、エレベーターＥＶの設備更新工事に併せてなされるとともに、この設備更新工事は、３連のうちの各エレベーターＥＶに対して一台ずつ順番に行われ、これにより、常に残りの２つのエレベーターＥＶは稼働状態に維持されるようにしている。また、各エレベーターＥＶの設備更新工事の実施の際には、真っ先に、その乗りかご１３がエレベーターシャフトＥＶＳから取り外される。よって、当該アスベスト処理作業の開始時には、既に、処理対象のエレベーターＥＶの乗りかご１３は、エレベーターシャフトＥＶＳ内に無い状態となっている。
【００４２】
図２Ａ乃至図２Ｃに示すように、付着物処理設備は、エレベーターシャフトＥＶＳ内を左右に仕切って作業空間ＷＳを密閉区画する仕切り部材８１と、作業空間ＷＳ内を換気すべく作業空間内の空気を吸い込む集塵機６１と、吊りワイヤー７３により上下昇降可能に吊り下げられて作業者が搭乗可能な作業ゴンドラ７１と、ドライアイス粒をアスベストの付着部位に向けて噴射してアスベストを除去するドライアイスブラスト装置（不図示）と、を備えている。
【００４３】
（１）仕切り部材８１
図２Ａに示すように、仕切り部材８１は、左右に隣り合うエレベーターＥＶ，ＥＶ同士の間に、エレベーターシャフトＥＶＳの鉛直方向の上下の全長及び水平方向の前後の全幅に亘って延在して設けられ、これにより、処理対象のエレベーターＥＶの昇降空間ＵＤＳが、処理対象以外のエレベーターＥＶの昇降空間ＵＤＳから隔離されて、その結果、処理対象のエレベーターＥＶのための作業空間ＷＳが密閉区画される。
【００４４】
ここで、処理対象のエレベーターＥＶが、左右方向の左端又は右端のエレベーターＥＶの場合には、それと隣り合う稼働中のエレベーターＥＶ（乗りかご１３）は一つであるため、それとの間に仕切り部材８１は一つだけ設けられるが、処理対象のエレベーターＥＶが、左端及び右端以外の場合には、左右の両隣りに稼働中のエレベーターＥＶ（乗りかご１３）が存在するため、その場合には、処理対象のエレベーターＥＶの左右両脇に仕切り部材８１，８１が対で設けられる。例えば、図２Ａの例の場合は、処理対象のエレベーターＥＶが左端のエレベーターＥＶであるので、この場合の隣り合うエレベーターＥＶは真ん中のエレベーター１台のみであり、もって、仕切り部材８１は一つだけ設けられる。
【００４５】
ちなみに、上述の昇降空間ＵＤＳとは、各エレベーターＥＶの乗りかご１３が上下昇降するのに必要な最小空間のことであり、その上端はエレベーターシャフトＥＶＳの天井部２６ａであり、下端は同床部２６ｂであり、つまり、鉛直方向に関してはエレベーターシャフトＥＶＳの全長に亘っている。よって、図示例の３連式の場合には、エレベーターシャフトＥＶＳは３つの昇降空間ＵＤＳを有している。
【００４６】
図３は、仕切り部材８１の一部を破断して示す斜視図である。  
仕切り部材８１は、鉛直方向の上下及び水平方向の前後に延出する気密性シート８７と、前記気密性シート８７に粘着テープ等により面接触状態で貼り付けられて補強する補強シート８５と、前記補強シート８５の面の側に設けられ、前記気密性シート８７及び前記補強シート８５を平面形状に保持する保持部材８２と、を有する。そして、気密性シート８７の外周縁は、その全周に亘ってエレベーターシャフトＥＶＳの天井部２６ａ、床部２６ｂ、及び前後の側壁２３に粘着テープ８９等により密着固定されており、これによって、前記作業空間ＷＳ内は高度な密閉状態に区画される。なお、気密性シート８７は、その外周縁の先端部８７ａが作業空間ＷＳ側を向くように曲げられているので（例えば図２Ｃを参照）、作業空間ＷＳ内の作業者は、当該気密性シート８７の外周縁を前記天井部２６ａ、床部２６ｂ、及び前後の側壁２３に密着固定し易くなり、もって確実に固定可能となる。
【００４７】
上記の気密性シート８７としては、例えば、ポリエチレンシートやＰＥＴシート等を挙げることができる。また、補強シート８５としては、テント地の布材や不織布、ＰＥＴ（ポリエチレンテレフタレート）シート等を例示できる。
【００４８】
なお、保持部材８２としては、例えば、図３に示すように、鉛直方向の上下に延びる複数の縦材８３と水平方向の前後に延びる複数の横材８４とが互いに直交して係合した井桁状（格子状）部材８２を例示できる。そして、この井桁状部材８２によれば、その井桁面が前記補強シート８５に面接触状態で粘着テープ等により接着されてその平面形状を維持するので、補強シート８５を介して気密性シート８７の平面形状を確実に平坦に維持することができる。
【００４９】
また、前記縦材８３の上端部８３ａ及び下端部（不図示）は、それぞれ、前記エレベーターシャフトＥＶＳの天井部２６ａ及び床部２６ｂに着脱可能に固定される一方、前記横材８４の両端部８４ａは、それぞれ、前記エレベーターシャフトＥＶＳの前後の側壁２３，２３に着脱可能に固定されている。よって、四方の全てを固定されているので、前記仕切り部材８１を確実にエレベーターシャフトＥＶＳ内に支持して、その脱落を防ぐことができる。
【００５０】
図４Ａ乃至図４Ｃは縦材８３及び横材８４を詳細に説明するための図であり、図４Ａに斜視図を示し、図４Ｂには図４Ａ中のＢ−Ｂ矢視図を示し、また、図４Ｃには同Ｃ−Ｃ矢視図を示している。
【００５１】
上記の縦材８３としては、例えばワイヤーであり、その上下の両端部は、それぞれ、天井部２６ａ及び床部２６ｂに植設されたアイボルトやフック部材８８等を介して対応する部位に係止固定される（図３）。また、上記の横材８４としては、例えば、前記前後の側壁２３，２３に突っ張って両端部８４ａ，８４ａが当接固定される棒体であり、より詳しくは、その長手方向の両端に吸盤の如き圧接密着部８４ａを備え、これら圧接密着部８４ａが送りねじ機構８４ｂ等にて長手方向に進退することにより全長を伸縮可能な棒部材である。そして、前記縦材８３たるワイヤー８３には、前記横材８４を着脱可能に係止するフック状の係止部材８３ｃが鉛直方向に所定ピッチで設けられている（図４Ａ乃至図４Ｃ）。よって、前記エレベーターシャフトＥＶＳの天井部２６ａから床部２６ｂへと前記ワイヤー８３を垂下しつつ張った状態で両端部を天井部２６ａ及び床部２６ｂに固定するとともに、前記ワイヤー８３の各係止部材８３ｃに横材８４をそれぞれ係止し、しかる後に、これら横材８４を伸長させて圧接密着部８４ａを前後の側壁２３，２３に固定すれば、前記保持部材８２は井桁状に完成される。
【００５２】
ところで、上記の如く区画された作業空間ＷＳ内には、図２Ｃに示すように、通常、処理対象のエレベーターＥＶの乗り場出入口２３ａが臨んでいる。また、乗り場出入口２３ａ以外にも開口部や隙間が存在していることもある。ここで、そのような開口部や隙間は、適宜、ポリエチレンシート等の養生シート（不図示）により覆われて閉塞される。例えば、乗り場出入口２３ａにあっては、その開閉扉２５が全閉状態にされるとともに、開閉扉２５の周囲の隙間等が養生シートにより覆われれば、作業空間ＷＳにおける外部空間への空気の流路はほぼ遮断される。なお、前記開閉扉２５を全閉にできない場合、つまり、エレベーターシャフトＥＶＳから開閉扉２５を取り外したり全開状態にする必要のある場合には、乗り場出入口２３ａをその全面に亘り養生シートで覆って密閉すれば良い。
【００５３】
（２）集塵機６１
図２Ｂに示すように、集塵機６１は、エレベーターシャフトＥＶＳの外側の１階フロアー等に配置される。そして、集塵機６１の吸気口６１ａは、適宜なダクト６３を介して作業空間ＷＳ内に配置され、作業空間ＷＳの空気を集塵機６１内に取り込むようになっている。そして、この集塵機６１に取り込まれた空気は、その内部のフィルター（不図示）に通されて当該空気中の異物が捕集されるとともに、前記フィルターを通過後の浄化空気は、集塵機６１の排気口６１ｂから外部空間へ排気され、これにより、前記作業空間ＷＳ内の気圧を、前記作業空間ＷＳの外側（外気）の気圧よりも低い負圧状態にする。よって、前記仕切り部材８１等の取り合いにおいて意図せずに隙間が形成される等前記作業空間ＷＳ内の密閉性が多少悪くても、そのような隙間からのアスベストの外部漏出は有効に防止される。
【００５４】
ちなみに、上述の吸気口６１ａは、作業空間ＷＳ内の最も低位に配置するのが望ましい。この理由は、この例ではアスベスト除去処理としてドライアイスブラスト法を採用しているからである。つまり、このドライアイス粒の昇華により発生する二酸化炭素ガスが、作業空間ＷＳ内の下部たる前記床部２６ｂに溜まり易く、同下部を積極的に排気する必要があるためである。よって、図示例では、吸気口６１ａはエレベーターシャフトＥＶＳの床部２６ｂに載置されている。
【００５５】
また、この二酸化炭素ガスの滞留の観点からは、作業空間ＷＳ内の上部に外気の取り入れ口（不図示）を設けると良い。但し、その場合には、この取り入れ口を、例えばアスベストの通過は規制する通気性フィルターで覆い、これにより、取り入れ口からのアスベストの漏出を防止するのが望ましい。
【００５６】
（３）作業ゴンドラ７１
図２Ａに示すように、作業ゴンドラ７１は例えばデッキ型ゴンドラであり、エレベーターシャフトＥＶＳの天井部２６ａに吊りワイヤー７３を介して懸架されたケージ７１を本体とする。ケージ７１の平面サイズは、エレベーターＥＶ毎に設定される各作業空間ＷＳに収まるサイズであり、つまり、エレベーターシャフトＥＶＳ内を略三等分してなる前記昇降空間ＵＤＳの平面サイズよりも小さくなっている。
【００５７】
また、このケージ７１には、吊りワイヤー７３を巻き上げる巻き上げ機７５が搭載されており、ケージ７１に搭乗した作業者が操作盤により巻き上げ機７５のワイヤー巻き上げ量を調整することによって、ケージ７１たる作業ゴンドラが上下昇降する。
【００５８】
ちなみに、吊りワイヤー７３の上端をエレベーターシャフトＥＶＳの天井部２６ａに固定するための所謂突梁７７は、例えば機械室ＭＲ内に取り付けられており、もって、吊りワイヤー７３は、天井部２６ａに形成されたエレベーターＥＶの前記吊りロープＲ用挿通孔等の貫通孔Ｈを通してエレベーターシャフトＥＶＳ内に垂下される。垂下後には、この貫通孔Ｈも適宜な閉塞部材で密閉されるのは言うまでもない。
【００５９】
（４）ドライアイスブラスト装置
ドライアイスブラスト装置（不図示）は、作業空間ＷＳ内の空気を取り込んでコンプレッサーにより圧縮空気を生成するとともに、この圧縮空気によってドライアイス粒をホース先端のノズルから噴射するものであり、作業ゴンドラ７１に搭載されている。
【００６０】
なお、ここでは、このドライアイスブラスト装置から噴射したドライアイス粒をアスベストに衝突させてアスベストを除去しているが、除去方法は何等これに限るものではなく、例えば、手でアスベストを掻き落として除去しても良いし、更には、この除去処理の代わりに、前述の封じ込め処理や囲い込み処理を施しても良い。
【００６１】
＜＜＜付着物処理方法＞＞＞
上述の付着物処理設備によれば、作業空間ＷＳを密閉区画すべき処理対象のエレベーターＥＶを左から右へと順番に替えながら、各エレベーターＥＶに対して以下の一連の手順（１）〜（４）を繰り返すことにより、エレベーターシャフトＥＶＳ内の全てのアスベストが除去される。
【００６２】
（１）処理対象のエレベーターＥＶの昇降空間ＵＤＳへの作業ゴンドラ７１の設置
先ず、図２Ａに示すように、処理対象のエレベーターＥＶから乗りかご１３や吊りロープＲ等を取り外す。そして、エレベーターシャフトＥＶＳの天井部２６ａから、処理対象のエレベーターＥＶの昇降空間ＵＤＳ内に吊りワイヤー７３を垂下する。また、図２ＢのエレベーターシャフトＥＶＳの床部２６ｂ上に、作業ゴンドラ７１のケージ７１を搬入するとともに、前記吊りワイヤー７３の下端を作業ゴンドラ７１の巻き上げ機７５にセットする。そして、これにより、ケージ７１たる作業ゴンドラ７１は、処理対象のエレベーターＥＶの昇降空間ＵＤＳにおいて使用可能状態となる（図２Ａ）。
【００６３】
（２）集塵機６１の設置
図２Ｂに示すように、１階フロアー等の地上付近に集塵機６１を配置するとともに、ダクト６３を介して吸気口６１ａを、処理対象のエレベーターＥＶの昇降空間ＵＤＳ内の床部２６ｂに配置する。
【００６４】
（３）処理対象のエレベーターＥＶ用の作業空間ＷＳを区画
図２Ａ及び図２Ｃに示すように、前記仕切り部材８１を、処理対象のエレベーターＥＶの昇降空間ＵＤＳと、それに隣接するエレベーターＥＶの昇降空間ＵＤＳとの間に配置して両者を仕切って当該処理対象のエレベーターＥＶの昇降空間ＵＤＳを隔離し、これにより、処理対象のエレベーターＥＶ用の作業空間ＷＳが区画される。なお、左端又は右端のエレベーターＥＶが処理対象の場合には、当該エレベーターＥＶの右端側又は左端側にのみ仕切り部材８１が配置されるが、真ん中のエレベーターＥＶが処理対象の場合には、当該エレベーターＥＶの左右両脇に仕切り部材８１，８１が対で配置される。  
また、当該作業空間ＷＳ内に位置する乗り場出入口２３ａ等の各種隙間をポリエチレンシート等で密閉養生する。更に、床部２６ｂも、その全面に亘り養生シートを敷いて覆う。
【００６５】
（４）作業空間内のアスベスト除去
先ず、集塵機６１を稼働させ、作業空間ＷＳ内を負圧状態にする。  
そうしたら、作業者は、図２Ａに示すように、作業ゴンドラ７１に乗りながら作業空間ＷＳ内を上下昇降することにより鉄骨梁２１ａ等のアスベスト付着部位へと接近し、ドライアイスブラスト装置を用いて作業空間ＷＳ内のアスベストを除去していく。ここで、ドライアイスブラスト装置から噴射したドライアイス粒は、アスベストに衝突後に昇華して二酸化炭素ガスとなり作業空間ＷＳ中の下部に溜まるが、溜まった二酸化炭素ガスは、集塵機６１の吸気口６１ａから吸い込まれて速やかに外部空間に排気される。
【００６６】
そして、作業空間ＷＳ内の全てのアスベストの除去が終了したら、最後に、当該除去により床部２６ｂの養生シート上に落下等したアスベストを掃除機等で吸い込んで清掃する。  
清掃が済んだら、当該処理対象のエレベーターＥＶに対するアスベスト除去作業はほぼ終了するので、次に、処理対象を右隣のエレベーターＥＶに移すべく、天井部２６ａから吊りワイヤー７３を外し、ケージ７１とともに搬出し、また、集塵機６１の吸気口６１ａも搬出する。
【００６７】
但し、今アスベスト処理したエレベーターＥＶと次に処理するエレベーターＥＶとの間の仕切り部材８１については、当該次の処理の作業空間ＷＳを区画する際に流用可能なので、特段の事情の無い限りは取り外す必要はなく、もって、取り外さなければ、次回処理するエレベーターＥＶにおいてなされる上述の（３）の「処理対象のエレベーターＥＶ用の作業空間ＷＳの区画」の作業負荷を軽減することができる。
【００６８】
そうしたら、次に処理対象となった右隣のエレベーターＥＶに対して、上述の（１）〜（４）の作業を繰り返す。そして、処理対象のエレベーターＥＶの処理が終了する度に、順次、処理対象を右隣のエレベーターＥＶに移して上述の（１）〜（４）の作業を繰り返し、最後に、左右方向の右端のエレベーターＥＶの処理が終了したら、全てのエレベーターＥＶに対して処理が完了し、つまり、エレベーターシャフトＥＶＳ内の全てのアスベストが除去されたことになる。
【００６９】
＝＝＝その他の実施の形態＝＝＝
以上、本発明の実施形態について説明したが、本発明は、かかる実施形態に限定されるものではなく、その要旨を逸脱しない範囲で以下に示すような変形が可能である。
【００７０】
上述の実施形態では、中空構造体の内部空間の一例としてエレベーターシャフトＥＶＳを示したが、何等これに限るものではなく、多連式のタワーパーキング（立体駐車場とも言い、タワー状構造物の内部空間に、複数の自動車を上下昇降するための無端の周回軌道を設けたもの）を中空構造体として、これに適用しても良い。すなわち、タワーパーキングの内部空間には、複数の周回軌道が水平方向の左右に並列に設けられており、各周回軌道は、それぞれ独立に周回運動可能である。
【００７１】
上述の実施形態では、気密性シート８７は一枚ものであるように説明したが、これに限らず、補強シート８５が気密性を有する場合には、気密性シート８７を適宜なサイズの複数のシートから構成し、これらを粘着テープ等によって繋ぎ合わせて上記の仕切り部材８１の大きさまで大きくしても良い。但し、補強シート８５については、強度の観点から極力一枚ものの方が望ましい。
【００７２】
上述の実施形態では、エレベーターシャフトＥＶＳ内に乗りかご１３が無い状態でアスベスト処理を行う場合を例示したが、エレベーターシャフトＥＶＳ内に乗りかご１３が在る状態でアスベスト処理を行っても良い。なお、この場合には、乗りかご１３は、アスベストの処理作業の邪魔にならないように、エレベーターシャフトＥＶＳの上端又は下端へ移動されており、上端又は下端の無害化処理をする際には、乗りかご１３は処理済みの位置へ移動されるのは言うまでもない。
【００７３】
上述の実施形態では、エレベーターシャフトＥＶＳ内に作業ゴンドラ７１を持ち込んでアスベストの処理作業を行っていたが、各エレベーターＥＶ（昇降空間ＵＤＳ又は昇降軌道ＴＲ）が具備する乗りかご１３を作業ゴンドラ７１の代わりに使用しても良い。すなわち、乗りかご１３の屋根面に作業者が乗って処理作業を行っても良い。
【符号の説明】
【００７４】
１３  乗りかご、１９  巻き上げ機、
２１  柱梁架構、２１ａ  鉄骨梁、２１ｂ  鉄骨柱、
２３  側壁（コンクリートパネル）、２３ａ  乗り場出入口、
２５  開閉扉、
２６ａ  天井部、２６ｂ  床部、
６１  集塵機、６１ａ  吸気口、６１ｂ  排気口、６３  ダクト、
７１  ケージ（作業ゴンドラ）、７３  吊りワイヤー、７５  巻き上げ機、
７７  突梁、
８１  仕切り部材、８２  保持部材、
８３  ワイヤー（縦材）、８３ａ  上端部、８３ｃ  係止部材、
８４  横材、８４ａ  圧接密着部（両端部）、８４ｂ  送りねじ機構、
８５  補強シート、８７  気密性シート、８７ａ  先端部、
８８  フック部材、８９  粘着テープ、
ＥＶ  エレベーター、ＭＲ  機械室、ＴＲ  昇降軌道、
ＵＤＳ  昇降空間、ＷＳ  作業空間、
ＥＶＨ  エレベーターホール、
ＥＶＳ  エレベーターシャフト（内部空間）、ＢＬＤＧ  建物（中空構造体）、
Ｈ  貫通孔、Ｒ  吊りロープ
【図１Ａ】
0005445636.tif 000002
【図１Ｂ】
0005445636.tif 000003
【図２Ｃ】
0005445636.tif 000004
【図３】
0005445636.tif 000005
【図４】
0005445636.tif 000006
【図２Ａ】
0005445636.tif 000007
【図２Ｂ】
0005445636.tif 000008